(57)【要約】揮発性シロキサン及び有機界面活性剤並びに任意成分として水を含んでなるドライクリーニング組成物。揮発性シロキサン及び有機界面活性剤を含む組成物と物品を接触させることを含むドライクリーニング方法。【特許請求の範囲】
【請求項１】
揮発性環式、線状若しくは枝分れシロキサン又はこれらの組合せ及び１種類以上の有機界面活性剤を含んでなるドライクリーニング組成物。
【請求項２】
約９０〜約９９．９９重量部の揮発性シロキサン及び約０．００１〜１０重量部未満の界面活性剤又は界面活性剤の組合せを含む、請求項１記載の組成物。
【請求項３】
さらに約０．０１〜約１５重量部の水を含む、請求項２記載の組成物。
【請求項４】
前記１種類以上の界面活性剤が非イオン性、陽イオン性、陰イオン性及び両性界面活性剤の群から選択される、請求項１記載の組成物。
【請求項５】
前記有機界面活性剤が同一又は異なる群の２種類以上の相溶性界面活性剤の混合物を含む、請求項１記載の組成物。
【請求項６】
前記有機界面活性剤が非イオン性界面活性剤である、請求項１記載の組成物。
【請求項７】
前記界面活性剤が下記構造式III及びIVの１以上で表される１種類以上の非イオン性界面活性剤を含む、請求項６記載の組成物。
Ｒ9−Ｏ−（ＣＨ2−ＣＨ2−Ｏ）n−Ｒ10            （III）
Ｒ9−Ｏ−（ＣＨ2−Ｃ（ＣＨ3）Ｈ−Ｏ）n−Ｒ10    （IV）
式中、Ｒ9は線状、環式、枝分れ、不飽和、芳香族又は含フッ素炭化水素基からなる群から選択される炭素数１〜３０の一価炭化水素基であり、Ｒ10は水素、又は線状、環式、枝分れ、不飽和、芳香族若しくは含フッ素炭化水素基からなる群から選択される炭素数１〜３０の一価炭化水素基であり、ｎは約１〜約１００である。
【請求項８】
Ｒ9の炭素数が２〜約２４であり、Ｒ10がＨであり、ｎが約２〜約２０である、請求項８記載の組成物。
【請求項９】
前記界面活性剤が下記構造式Ｖ及びVIの１以上で表される１種類以上の非イオン性界面活性剤を含む、請求項６記載の組成物。
【化１】
2004525997.tif 000031
式中、Ｒ17、Ｒ18、Ｒ19、Ｒ20、Ｒ21、Ｒ22、Ｒ23、Ｒ24及びＲ25は各々独立にＨ、又は線状、環式若しくは枝分れ炭化水素基及び線状、環式若しくは枝分れ含カルコゲン炭化水素基からなる群から選択される炭素数１〜３０の一価炭化水素基である。
【請求項１０】
Ｒ17、Ｒ18、Ｒ19、Ｒ20、Ｒ21、Ｒ22、Ｒ23、Ｒ24及びＲ25が各々Ｈ又は炭素数１〜２４の炭化水素基である、請求項９記載の組成物。
【請求項１１】
Ｒ17及びＲ20の一方が炭素数８〜２４の炭化水素で他方がＨ又は−ＣＨ2ＯＨ若しくは−ＣＨ2ＣＨ3のような炭素数１〜４の炭化水素であり、Ｒ21及びＲ25の一方がＨ又は炭素数８〜２４の炭化水素で他方が−ＣＨ2ＯＨ又は−ＣＨ2ＣＨ3のような炭素数１〜４の炭化水素である、請求項１０記載の組成物。
【請求項１２】
前記１種類以上の非イオン性界面活性剤がスクロースエステル、グルコースエステル、モノグリセリド、多糖エーテル及びソルビタン系界面活性剤から選択される、請求項１１記載の組成物。
【請求項１３】
前記界面活性剤が下記構造式VII及びVIIIで表されるアミン系界面活性剤及びリン酸エステル系界面活性剤からなる群から選択される１種類以上の非イオン性界面活性剤を含む、請求項６記載の組成物。
【化２】
2004525997.tif 000032
式中、Ｒ11、Ｒ12、Ｒ13、Ｒ14、Ｒ15及びＲ16は各々独立にＨ、又は線状、環式、枝分れ、不飽和、芳香族若しくは含フッ素炭化水素基及び含カルコゲン炭化水素基からなる群から選択される炭素数１〜３０の一価炭化水素基である。
【請求項１４】
Ｒ11、Ｒ12及びＲ13の２つがＨ又は炭素数１〜４の炭化水素基で１つが炭素数８〜２４の炭化水素基であり、Ｒ14及びＲ15がＨ又は炭素数１〜４の炭化水素基でＲ16が炭素数８〜２４の炭化水素基であるか、又はＲ14及びＲ15が炭素数８〜２４の炭化水素基でＲ16が炭素数１〜４の炭化水素基である、請求項１３記載の組成物。
【請求項１５】
前記１種類以上の非イオン性界面活性剤がアルカノールアミド、アミンオキシド、エトキシル化アミン、エトキシル化アミド及びリン酸エステルから選択される、請求項１４記載の組成物。
【請求項１６】
前記有機界面活性剤が陰イオン性界面活性剤である、請求項１記載の組成物。
【請求項１７】
前記界面活性剤が、下記構造式IX〜XIIIで表されるスルホスクシネート、サルフェート、スルホネート、カルボキシレート又は含リン界面活性剤からなる群から選択される１種類以上の陰イオン性界面活性剤を含む、請求項１６記載の組成物。
【化３】
2004525997.tif 000033
式中、Ｒ26、Ｒ27、Ｒ28、Ｒ29及びＲ30は各々独立にＨ、又は線状、環式若しくは枝分れ炭化水素基及び線状、環式若しくは枝分れ含カルコゲン炭化水素基からなる群から選択される炭素数１〜３０の一価炭化水素基であり、ＸはＨ、アルカリ金属、アルカリ土類金属又は含カルコゲン陽イオンからなる群から選択される陽イオンであり、ｑはＸの酸化状態又は原子価であり、Ｘが当該分子の界面活性剤としての機能に過度に干渉することはない。
【請求項１８】
Ｒ26及びＲ27が炭素数４〜２０の線状炭化水素基であり、Ｒ28が炭素数６〜２０の炭化水素基であり、Ｒ29が炭素数８〜２６の炭化水素基であり、Ｒ30が炭素数８〜３０の炭化水素である、請求項１７記載の組成物。
【請求項１９】
Ｒ26及びＲ27が炭素数６〜１３の線状炭化水素基であり、Ｒ28が炭素数８〜１６の炭化水素基であり、Ｒ29が炭素数１０〜２０の炭化水素基である、請求項１８記載の組成物。
【請求項２０】
前記有機界面活性剤が陽イオン性界面活性剤である、請求項１記載の組成物。
【請求項２１】
前記界面活性剤が１種類以上の陽イオン性界面活性剤を含み、該陽イオン性界面活性剤が下記構造式XIVで表される第四アミン系界面活性剤でよい、請求項２０記載の組成物。
（Ｒ31Ｒ32Ｒ33Ｒ34Ｎ+）pＪ-      （XIV）
式中、Ｒ31、Ｒ32、Ｒ33及びＲ34は各々独立にＨ、又は線状、環式若しくは枝分れ炭化水素基及び線状、環式若しくは枝分れ含カルコゲン炭化水素基からなる群から選択される炭素数１〜３０の一価炭化水素基であり、ｊは当該分子の界面活性剤としての機能に過度に干渉することのない原子価又は酸化状態ｐを有する適当な陰イオンである。
【請求項２２】
Ｒ31及びＲ32が炭素数１〜４の炭化水素基であり、Ｒ33及びＲ34が炭素数６〜３０の炭化水素基である、請求項２１記載の組成物。
【請求項２３】
Ｒ31及びＲ32がメチルであり、Ｒ33及びＲ34が炭素数８〜２４の炭化水素基である、請求項２２記載の組成物。
【請求項２４】
前記有機界面活性剤が両性界面活性剤である、請求項１記載の組成物。
【請求項２５】
前記界面活性剤が下記構造式XVで表される１種類以上の両性界面活性剤を含む、請求項２４記載の組成物。
【化４】
2004525997.tif 000034
式中、Ｒ35、Ｒ36及びＲ37は各々独立にＨ、又は線状、環式若しくは枝分れ炭化水素基及び線状、環式若しくは枝分れ含カルコゲン炭化水素基からなる群から選択される炭素数１〜３０の一価炭化水素基であり、Ｇは二価スペーサー基であり、Ｙはカルボン酸基、スルホン酸基、硫酸基、ホスホン酸基その他同様の基である。
【請求項２６】
Ｒ35が炭素数１〜４の炭化水素であり、Ｒ36及びＲ37が炭素数６〜２４の炭化水素である、請求項２５記載の組成物。
【請求項２７】
前記線状又は枝分れ揮発性シロキサンが下記構造式で表される１種類以上の化合物を含む、請求項１記載の組成物。
Ｍ2+y+2zＤxＴyＱz
式中、
ＭはＲ13ＳｉＯ1/2であり、
ＤはＲ2Ｒ3ＳｉＯ2/2であり、
ＴはＲ4ＳｉＯ3/2であり、
ＱはＳｉＯ4/2であり、
Ｒ1、Ｒ2、Ｒ3及びＲ4は各々独立に一価炭化水素基であり、ｘ及びｙは各々整数であり、０≦ｘ≦１０、０≦ｙ≦１０、かつ０≦ｚ≦１０である。
【請求項２８】
前記環式シロキサン成分が下記構造式で表される１種類以上の化合物を含む、請求項１記載の組成物。
【化５】
2004525997.tif 000035
式中、Ｒ5、Ｒ6、Ｒ7及びＲ8は各々独立に一価炭化水素基であり、ａ及びｂは各々整数であり、０≦ａ≦１０、かつ０≦ｂ≦１０であるが、３≦（ａ＋ｂ）≦１０である。
【請求項２９】
環式、線状又は枝分れシロキサン、並びに非イオン性界面活性剤、陽イオン性界面活性剤、陰イオン性界面活性剤及び両性界面活性剤の群から選択される１種類以上の有機界面活性剤を含む組成物に物品を接触させることを含んでなる物品のドライクリーニング方法。
【請求項３０】
前記界面活性剤が下記構造式III及びIVの１以上で表される１種類以上の非イオン性界面活性剤を含む、請求項２９記載の方法。
Ｒ9−Ｏ−（ＣＨ2−ＣＨ2−Ｏ）n−Ｒ10            （III）
Ｒ9−Ｏ−（ＣＨ2−Ｃ（ＣＨ3）Ｈ−Ｏ）n−Ｒ10    （IV）
式中、Ｒ9は炭素数１〜３０の一価炭化水素基であり、該一価炭化水素基は線状、環式、枝分れ、不飽和、芳香族又は含フッ素であってもよく、Ｒ10は水素又は炭素数１〜３０の一価炭化水素基であり、該一価炭化水素基は線状、環式、枝分れ、不飽和、芳香族若しくは含フッ素であってもよく、ｎは約１〜約１００である。
【請求項３１】
前記界面活性剤が１以上の下記構造式Ｖ及びVIで表される１種類以上の非イオン性界面活性剤を含む、請求項２９記載の方法。
【化６】
2004525997.tif 000036
式中、Ｒ17、Ｒ18、Ｒ19、Ｒ20、Ｒ21、Ｒ22、Ｒ23、Ｒ24及びＲ25は各々独立にＨ、又は線状、環式若しくは枝分れ炭化水素基及び線状、環式若しくは枝分れ含カルコゲン炭化水素基からなる群から選択される炭素数１〜３０の一価炭化水素基である。
【請求項３２】
前記界面活性剤が１種類以上の非イオン性界面活性剤を含み、該非イオン性界面活性剤が下記構造式VII及びVIIIの１以上で表されるアミン系又はリン酸エステル系界面活性剤でよい、請求項２９記載の方法。
【化７】
2004525997.tif 000037
式中、Ｒ11、Ｒ12、Ｒ13、Ｒ14、Ｒ15及びＲ16は各々独立にＨ、又は線状、環式若しくは枝分れ炭化水素基及び線状、環式若しくは枝分れ含カルコゲン炭化水素基からなる群から選択される炭素数１〜３０の一価炭化水素基である。
【請求項３３】
前記界面活性剤が１種類以上の陰イオン性界面活性剤を含み、該陰イオン性界面活性剤が下記構造式IX〜XIIIの１以上で表されるスルホスクシネート、サルフェート、スルホネート、カルボキシレート又は含リン界面活性剤でよい、請求項２９記載の方法。
【化８】
2004525997.tif 000038
式中、Ｒ26、Ｒ27、Ｒ28、Ｒ29及びＲ30は各々独立にＨ、又は線状、環式若しくは枝分れ炭化水素基及び線状、環式若しくは枝分れ含カルコゲン炭化水素基からなる群から選択される炭素数１〜３０の一価炭化水素基であり、ＸはＨ、アルカリ金属、アルカリ土類金属又は含カルコゲン陽イオンからなる群から選択される陽イオンであり、ｑはＸの酸化状態又は原子価であり、Ｘは当該分子の界面活性剤としての機能に過度に干渉することはない。
【請求項３４】
前記界面活性剤が１種類以上の陽イオン性界面活性剤を含み、該陽イオン性界面活性剤が下記構造式XIVの第四アミン系界面活性剤でよい、請求項２９記載の方法。
（Ｒ31Ｒ32Ｒ33Ｒ34Ｎ+）pＪ-        （XIV）
式中、Ｒ31、Ｒ32、Ｒ33及びＲ34は各々独立にＨ、又は線状、環式若しくは枝分れ炭化水素基及び線状、環式若しくは枝分れ含カルコゲン炭化水素基からなる群から選択される炭素数１〜３０の一価炭化水素基であり、Ｊは当該分子の界面活性剤としての機能に過度に干渉することのない原子価又は酸化状態ｐを有する適当な陰イオンである。
【請求項３５】
前記界面活性剤が下記構造式XVで表される１種類以上の両性界面活性剤を含む、請求項２９記載の方法。
【化９】
2004525997.tif 000039
式中、Ｒ35、Ｒ36及びＲ37は各々独立にＨ、又は線状、環式若しくは枝分れ炭化水素基及び線状、環式若しくは枝分れ含カルコゲン炭化水素基からなる群から選択される炭素数１〜３０の一価炭化水素基であり、Ｇは二価スペーサー基であり、Ｙはカルボン酸基、スルホン酸基、硫酸基、ホスホン酸基その他同様の基である。
【発明の詳細な説明】
【技術分野】
【０００１】
本発明は、ドライクリーニングに用いられるドライクリーニング組成物、特にシロキサン流体系組成物並びに該組成物を使用するドライクリーニング法に関する。
【背景技術】
【０００２】
現在のドライクリーニング技術では、洗浄用溶剤としてパークロロエチレン（「ＰＥＲＣ」）又は石油系物質が使用されている。ＰＥＲＣには毒性及び臭気の問題がある。石油系製品はＰＥＲＣほど衣料品のクリーニングに有効ではない。
【０００３】
環式シロキサンは、スポットクリーニング用溶液として（米国特許第４６８５９３０号参照）、またドライクリーニング機でのドライクリーニング用流体としても（米国特許第５９４２００７号参照）報告されている。他の特許には、石油系溶剤にシリコーン系ソープを使用することが開示されている（特開平９−２９９６８７号公報参照）。また、超臨界二酸化炭素溶液中にシリコーン界面活性剤を使用することも報告されている（例えば、米国特許第５６７６７０５号及びＣｈｅｍ．  Ｍａｒｋ．  Ｒｅｐ．，１５  Ｄｅｃ  １９９７，２５２（２４），ｐ．１５参照）。不揮発性シリコーンオイルも洗浄用溶剤として使用されているが、パーフルオロアルカンでの第二の洗浄による除去を要する（特開平６−３２７８８８号公報参照）。
【０００４】
ＰＥＲＣ又は石油系ドライクリーニング溶剤に追加成分としてシロキサン又は有機変性シリコーンを存在させた数多くの他の特許が刊行されている。例えば、国際公開第９４０１５１０号、米国特許第４９１１８５３号、米国特許第４００５２３１号、米国特許第４０６５２５８号参照。
【特許文献１】
米国特許第４６８５９３０号
【特許文献２】
米国特許第５９４２００７号
【特許文献３】
特開平９−２９９６８７号公報
【特許文献４】
米国特許第５６７６７０５号
【特許文献５】
特開平６−３２７８８８号公報
【特許文献６】
国際公開第９４０１５１０号
【特許文献７】
米国特許第４９１１８５３号
【特許文献８】
米国特許第４００５２３１号
【特許文献９】
米国特許第４０６５２５８号
【非特許文献１】
Ｃｈｅｍ．  Ｍａｒｋ．  Ｒｅｐ．，１５  Ｄｅｃ  １９９７，２５２（２４），ｐ．１５
【発明の開示】
【発明が解決しようとする課題】
【０００５】
シリコーン系ドライクリーニング溶剤の洗浄能力を高める添加剤を提供することに絶えず関心がもたれている。
【課題を解決するための手段】
【０００６】
第一の態様では、本発明は、揮発性環式、線状又は枝分れシロキサンと１種類以上の有機界面活性剤とを含むドライクリーニング組成物に関する。
【０００７】
第二の態様では、本発明は、環式、線状又は枝分れシロキサンと、非イオン性、陽イオン性、陰イオン性又は両性界面活性剤の群から選択し得る有機界面活性剤とを含む組成物に物品を接触させることを含む物品のドライクリーニング方法に関する。
【発明の効果】
【０００８】
本発明の方法は、例えば衣料品のような被洗物からの水溶性汚れの除去などに改善された挙動を示す。また、本発明の方法は、油汚れやグリース汚れを始めとする大半の可溶性汚れを効果的に落とす。
【発明を実施するための最良の形態】
【０００９】
好ましい実施形態では、本発明の組成物は、組成物１００重量部（「ｐｂｗ」）を基準にして、９０ｐｂｗ超９９．９９ｐｂｗ以下、さらに好ましくは９２〜９９．９ｐｂｗ、さらに一段と好ましくは９５〜９９．５ｐｂｗのシロキサンと、０．００１ｐｂｗ〜１０ｐｂｗ未満、さらに好ましくは０．０１〜８ｐｂｗ、さらに一段と好ましくは０．１〜５ｐｂｗの界面活性剤を含む。組成物は、さらに任意成分として水を含み、好ましくは０．０１〜１５ｐｂｗ、さらに好ましくは０．１〜１２ｐｂｗ未満、さらに一段と好ましくは０．２〜１０ｐｂｗの水を含む。好ましくは、当該組成物はシロキサン樹脂も架橋剤も含まない。
【００１０】
好ましい実施形態では、水は「自由」水として加えてもよいし、或いはシロキサン、炭化水素、界面活性剤その他適当な添加剤のような別の成分を含むエマルジョンとして加えてもよい。水をエマルジョンとして加える場合、エマルジョンは成分の均質化又は混合物の機械的攪拌によって調製し得る。
【００１１】
本発明の線状又は枝分れ揮発性シロキサン溶剤として適した化合物は、ケイ素原子数２〜２０のポリシロキサン構造を含むものである。線状又は枝分れ揮発性シロキサンは好ましくは比較的揮発性の物質で、例えば圧力７６０ｍｍＨｇで約３００℃未満の沸点を有する。
【００１２】
好ましい実施形態では、線状又は枝分れ揮発性シロキサンは次の構造式（Ｉ）の化合物１種類以上を含む。
【００１３】
Ｍ2+y+2zＤxＴyＱz      （Ｉ）
式中、
ＭはＲ13ＳｉＯ1/2であり、
ＤはＲ2Ｒ3ＳｉＯ2/2であり、
ＴはＲ4ＳｉＯ3/2であり、
ＱはＳｉＯ4/2であり、
Ｒ1、Ｒ2、Ｒ3及びＲ4は各々独立に一価炭化水素基であり、
ｘ及びｙは各々整数であって、０≦ｘ≦１０、０≦ｙ≦１０、０≦ｚ≦１０である。
【００１４】
適当な一価炭化水素基には、非環式炭化水素基、一価脂環式炭化水素基、一価芳香族又は含フッ素炭化水素基がある。好ましい一価炭化水素基は一価アルキル基、一価アリール基及び一価アラルキル基である。
【００１５】
本明細書中で用いる「（Ｃ1〜Ｃ6）アルキル」という用語は、１基当たりの炭素数が１〜６の線状又は枝分れアルキル基を意味し、例えばメチル、エチル、プロピル、イソ−プロピル、ｎ−ブチル、イソ−ブチル、ｓｅｃ−ブチル、ｔｅｒｔ−ブチル、ペンチル、ヘキシルなどがあるが、好ましくはメチルである。
【００１６】
本明細書中で用いる「アリール」という用語は、１基当たり１以上の芳香族又は含フッ素環を有する一価不飽和炭化水素環系を意味し、任意には１以上の芳香族又は含フッ素環が好ましくは１以上の（Ｃ1〜Ｃ6）アルキル基で置換されていてもよく、２以上の環の場合は縮合環であってもよく、例えば、フェニル、２，４，６−トリメチルフェニル、２−イソプロピルメチルフェニル、１−ペンタレニル、ナフチル、アントリルなどがあるが、好ましくはフェニルである。
【００１７】
本明細書中で用いる「アラルキル」という用語は、アルキル基（好ましくは（Ｃ2〜Ｃ6）アルキル基）のアリール誘導体を意味し、アリール誘導体のアルキル部分は任意には酸素原子で中断されていてもよく、例えば、フェニルエチル、フェニルプロピル、２−（１−ナフチル）エチルなどであるが、好ましくはフェニルプロピル、フェノキシプロピル、ビフェニルオキシプロピルである。
【００１８】
好ましい実施形態では、一価炭化水素基は一価（Ｃ1〜Ｃ6）アルキル基、最も好ましくはメチルである。
【００１９】
好ましい実施形態では、線状又は枝分れ揮発性シロキサンは、ヘキサメチルジシロキサン、オクタメチルトリシロキサン、デカメチルテトラシロキサン、ドデカメチルペンタシロキサン、テトラデカメチルヘキサシロキサン、ヘキサデカメチルヘプタシロキサン又はメチルトリス（トリメチルシロキシ）シランの１種類以上を含む。さらに好ましい実施形態では、本発明の線状又は枝分れ揮発性シロキサンは、オクタメチルトリシロキサン、デカメチルテトラシロキサン、ドデカメチルペンタシロキサン又はメチルトリス（トリメチルシロキシ）シランを含む。非常に好ましい実施形態では、本発明の組成物のシロキサン成分は実質的にデカメチルテトラシロキサンからなる。
【００２０】
適当な線状又は枝分れ揮発性シロキサンは、例えばテトラクロロシラン、メチルトリクロロシラン、ジメチルジクロロシラン、トリメチルクロロシランの１種類以上の加水分解・縮合反応、又はヘキサメチルジシロキサンとオクタメチルシクロテトラシロキサンの平衡化混合物の所望画分の単離のような公知の方法で製造され、市販されている。
【００２１】
本発明の環式シロキサン成分として適した化合物は、環内に２〜２０個のケイ素原子を含むポリシロキサン環構造を有するものである。線状揮発性シロキサン及び環式シロキサンは好ましくは比較的揮発性の物質で、例えば圧力７６０ｍｍＨｇで約３００℃未満の沸点を有するものである。
【００２２】
好ましい実施形態では、環式シロキサン成分は次の構造式（II）の化合物１種類以上を含む。
【００２３】
【化１】
2004525997.tif 000002
【００２４】
式中、Ｒ5、Ｒ6、Ｒ7及びＲ8は各々独立に一価炭化水素基であり、ａ及びｂは各々整数であって、０≦ａ≦１０、０≦ｂ≦１０であるが、３≦（ａ＋ｂ）≦１０であることを条件とする。
【００２５】
好ましい実施形態では、環式シロキサンはオクタメチルシクロテトラシロキサン、デカメチルシクロペンタシロキサン、ドデカメチルシクロヘキサシロキサン、テトラデカメチルシクロヘプタシロキサンの１種類以上を含む。さらに好ましい実施形態では、本発明の環式シロキサンはオクタメチルシクロテトラシロキサン又はデカメチルシクロペンタシロキサンを含む。非常に好ましい実施形態では、本発明の組成物の環式シロキサン成分は実質的にデカメチルシクロペンタシロキサンからなる。
【００２６】
適当な環式シロキサンは、例えばジメチルジクロロシランの加水分解・縮合反応のような公知の方法で製造され、市販されている。
【００２７】
本発明の有機界面活性剤は非イオン性、陽イオン性、陰イオン性又は両性界面活性剤から選択される１種類以上の界面活性剤を含む。別の実施形態では、有機界面活性剤は、例えば２種類以上の非イオン性、陽イオン性、陰イオン性又は両性界面活性剤の混合物、非イオン性及び陽イオン性界面活性剤の混合物、非イオン性及び陰イオン性界面活性剤の混合物、非イオン性及び両性界面活性剤の混合物、陽イオン性及び陰イオン性界面活性剤の混合物、陽イオン性及び両性界面活性剤の混合物、陰イオン性及び両性界面活性剤の混合物、非イオン性、陽イオン性及び陰イオン性界面活性剤の混合物、非イオン性、陰イオン性及び両性界面活性剤の混合物、陽イオン性、陰イオン性及び両性界面活性剤の混合物、又は非イオン性、陽イオン性、陰イオン性及び両性界面活性剤の混合物のように、相溶性である限り、同一又は異なる群の２種類以上の界面活性剤の混合物を含む。
【００２８】
本発明の非イオン性界面活性剤として使用するのに適した化合物は、水性媒質中に溶解したときに個々の電荷をもたないものである。非イオン性界面活性剤は当技術分野で広く知られており、例えば、アルカノールアミド（例えば、ココ、ラウリン、オレイン及びステアリンモノエタノールアミド、ジエタノールアミド並びにモノイソプロパノールアミド）、アミンオキシド（例えば、ポリオキシエチレンエタノールアミド及びポリオキシエチレンプロパノールアミド）、ポリアルキレンオキシドブロックコポリマー（例えば、ポリ（オキシエチレン−コ−オキシプロピレン））、エトキシル化アルコール（例えば、イソステアリルポリオキシエチレンアルコール、ラウリル、セチル、ステアリル、オレイル、トリデシル、トリメチルノニル、イソデシル、トリデシル）、エトキシル化アルキルフェノール（例えば、ノニルフェノール）、エトキシル化アミン及びエトキシル化アミド、エトキシル化脂肪酸、エトキシル化脂肪エステル及びエトキシル化脂肪油（例えば、ラウリン酸、イソステアリン酸、ペラルゴン酸、オレイン酸、ココ酸、ステアリン酸及びリシノール酸のような酸並びにひまし油及びトール油のような油のモノエステル及びジエステル）、脂肪エステル、フルオロカーボン含有物質、グリセロールエステル（例えば、グリセロールモノステアレート、グリセロールモノラウレート、グリセロールジラウレート、グリセロールモノリシノレート及びグリセロールオレエート）、グリコールエステル（例えば、プロピレングリコールモノステアレート、エチレングリコールモノステアレート、エチレングリコールジステアレート、ジエチレングリコールモノラウレート、ジエチレングリコールモノラウレート、ジエチレングリコールモノオレエート及びジエチレングリコールステアレート）、ラノリン系界面活性剤、モノグリセリド、リン酸エステル、多糖エーテル、プロポキシル化脂肪酸、プロポキシル化アルコール及びプロポキシル化アルキルフェノール、タンパク質系有機界面活性剤、ソルビタン系界面活性剤（例えば、ソルビタンオレエート、ソルビタンモノラウレート及びソルビタンパルミテート）、スクロースエステル、並びにグルコースエステル並びにチオ−及びメルカプト系界面活性剤がある。
【００２９】
好ましい実施形態では、本発明の一成分は、次の構造式III及びIVの１以上で表される１種類以上の非イオン性界面活性剤を含む。
【００３０】
Ｒ9−Ｏ−（ＣＨ2−ＣＨ2−Ｏ）n−Ｒ10          （III）
Ｒ9−Ｏ−（ＣＨ2−Ｃ（ＣＨ3）Ｈ−Ｏ）n−Ｒ10  （IV）
式中、Ｒ9は炭素数１〜３０の一価炭化水素基であり、該一価炭化水素は線状、環式、枝分れ、不飽和、芳香族又は含フッ素基であればよく、Ｒ10は水素又は炭素数１〜３０の一価炭化水素基であり、該一価炭化水素は線状、環式、枝分れ、不飽和、芳香族若しくは含フッ素基であればよく、ｎは約１〜約１００、さらに好ましくは約１〜約４０である。非常に好ましい実施形態では、Ｒ9の炭素数は２〜約２４、さらに好ましくは８〜２４であり、Ｒ10はＨであり、ｎは約２〜約２０である。
【００３１】
別の好ましい実施形態では、本発明の成分は１種類以上の非イオン性界面活性剤を含むが、該非イオン性界面活性剤は次の構造式Ｖ及びVIの１以上で表される糖系界面活性剤でよい。
【００３２】
【化２】
2004525997.tif 000003
【００３３】
式中、Ｒ17、Ｒ18、Ｒ19、Ｒ20、Ｒ21、Ｒ22、Ｒ23、Ｒ24及びＲ25は各々独立にＨ又は炭素数１〜３０の一価炭化水素基であり、該一価炭化水素基は線状、環式、枝分れ、含酸素アルカン若しくは他の含カルコゲン基であればよい。本明細書中でカルコゲンとは、具体的には酸素、イオウ、セレン、テルル及びポロニウムと定義される。これらの界面活性剤は開鎖類似体であってもよい。好ましい実施形態では、Ｒ17、Ｒ18、Ｒ19、Ｒ20、Ｒ21、Ｒ22、Ｒ23、Ｒ24及びＲ25は各々Ｈ又は炭素数１〜２４の炭化水素基、好ましくはポリエーテル又はエステルであり、さらに好ましくはＲ17及びＲ20の一方が炭素数８〜２４の炭化水素で他方がＨ又は−ＣＨ2ＯＨ若しくは−ＣＨ2ＣＨ3のような炭素数１〜４の炭化水素であり、Ｒ21及びＲ25の一方がＨ又は炭素数８〜２４の炭化水素で他方が−ＣＨ2ＯＨ若しくは−ＣＨ2ＣＨ3のような炭素数１〜４の炭化水素である。別の好ましい実施形態では、１種類以上の界面活性剤はスクロースエステル、グルコースエステル、モノグリセリド、多糖エーテル及びソルビタン系界面活性剤から選択される。
【００３４】
別の好ましい実施形態では、本発明の一成分は１種類以上の非イオン性界面活性剤を含むが、非イオン性界面活性剤は次の構造式VII及びVIIIの１以上で表されるアミン系又はリン酸エステル系界面活性剤でよい。
【００３５】
【化３】
2004525997.tif 000004
【００３６】
式中、Ｒ11、Ｒ12、Ｒ13、Ｒ14、Ｒ15及びＲ16は各々独立にＨ又は炭素数１〜３０の一価炭化水素基であるが、該一価炭化水素基は線状、環式、枝分れ、不飽和、芳香族、含フッ素、含酸素アルカン若しくは他の含カルコゲン基でよい。好ましい実施形態では、Ｒ11、Ｒ12及びＲ13の２つがＨ又は炭素数１〜４の炭化水素基で１つが炭素数８〜２４の炭化水素基であり、Ｒ14及びＲ15がＨ又は炭素数１〜４の炭化水素基でＲ16が炭素数８〜２４の炭化水素基であるか、或いはＲ14及びＲ15が炭素数８〜２４の炭化水素基でＲ16が炭素数１〜４の炭化水素基である。最も好ましい実施形態では、１種類以上の界面活性剤はアルカノールアミド、アミンオキシド、エトキシル化アミン、エトキシル化アミド及びリン酸エステルから選択される。
【００３７】
本発明の陰イオン性界面活性剤として使用するのに適した化合物は、カルボキシレート、スルホネート、サルフェート及びホスフェートのような極性可溶化基を有するものである。陰イオン性界面活性剤は当技術分野で広く知られており、例えば、アルキルアリールスルホネート（例えば、アルキルベンゼンスルホネート）、アルキルアリールスルホン酸（例えば、トルエン−、キシレン−及びイソプロピルベンゼンスルホン酸のナトリウム及びアンモニウム塩）、スルホン化アミン及びスルホン化アミド（例えば、アミドスルホネート）、カルボキシル化アルコール及びカルボキシル化アルキルフェノールエトキシレート、ジフェニルスルホネート、脂肪エステル、イセチオネート、リグニン系界面活性剤、オレフィンスルホネート（例えば、ＲＣＨ＝ＣＨＳＯ3Ｎａ、ただしＲはＣ10〜Ｃ16）、リン系界面活性剤、タンパク質系界面活性剤、サルコシン系界面活性剤（例えば、Ｎ−ラウロイルサルコシン酸ナトリウムのようなＮ−アシルサルコシネート）、油及び／又は脂肪酸の硫酸塩及びスルホン酸塩、エトキシル化アルキルフェノールの硫酸塩及びスルホン酸塩、アルコールの硫酸塩、エトキシル化アルコールの硫酸塩、脂肪エステルの硫酸塩、芳香族若しくは含フッ素化合物の硫酸塩、スルホスクシンナメート、スルホスクシネート（例えば、ジアミル−、ジオクチル−及びジイソブチルスルホスクシネート）、タウレート並びにスルホン酸類がある。
【００３８】
好ましい実施形態では、本発明の一成分は１種類以上の陰イオン性界面活性剤を含むが、該陰イオン性界面活性剤は次の構造式IX〜XIIIの１以上で表されるスルホスクシネート、サルフェート、スルホネート、カルボキシレート又は含リン界面活性剤でよい。
【００３９】
【化４】
2004525997.tif 000005
【００４０】
式中、Ｒ26、Ｒ27、Ｒ28、Ｒ29及びＲ30は各々独立に炭素数１〜３０の一価炭化水素基であり、線状、環式、枝分れ、不飽和、芳香族、含フッ素、含酸素アルカン又はその他の含カルコゲン基であればよく、ＸはＨ又はアルカリ金属、アルカリ土類元素若しくは含カルコゲン対イオン又は当該分子の界面活性剤としての機能に過度に干渉することのない適当な陽イオンであり、添字ｑは陽イオンＸの原子価又は酸化状態である。好ましい実施形態では、Ｒ26及びＲ27は炭素数４〜２０、さらに好ましくは炭素数６〜１３の線状炭化水素基であり、Ｒ28は炭素数６〜２０、さらに好ましくは炭素数８〜１６の炭化水素基であり、Ｒ29は炭素数８〜２６、さらに好ましくは炭素数１０〜２０の炭化水素基であり、Ｒ30は炭素数８〜３０の炭化水素である。
【００４１】
本発明の陽イオン性界面活性剤として使用するのに適した化合物は、水性媒質に溶解したときにアミノ又は第四窒素上に正電荷を有するものである。陽イオン性界面活性剤は当技術分野で広く知られており、例えば、酢酸アミン、アミン（例えば、モノアルキルアミン、ジアルキルアミン及びＮ−アルキルトリメチレンジアミンのような酸素不含アミン、並びにアミンオキシド、エトキシル化アルキルアミン、１−（２−ヒドロキシエチル）−２−イミダゾリン類及びエチレンジアミンのアルコキシレートのような含酸素アミン）、並びに第四アンモニウム塩（例えば、ジアルキルジメチルアンモニウム塩、アルキルベンジルジメチルアンモニウムクロリド、アルキルトリメチルアンモニウム塩及びアルキルピリジウムハロゲン化物）、並びに第四アンモニウムエステル（例えば、ジエチルエステルジメチルアンモニウムクロリド）がある。
【００４２】
好ましい実施形態では、本発明の一成分は１種類以上の陽イオン性界面活性剤を含むが、該陽イオン性界面活性剤は次の構造式XIVの第四アミン系界面活性剤でよい。
【００４３】
（Ｒ31Ｒ32Ｒ33Ｒ34Ｎ+）pＪ-      （XIV）
式中、Ｒ31、Ｒ32、Ｒ33及びＲ34は各々独立にＨ又は炭素数１〜３０の一価炭化水素基であり、該一価炭化水素基は線状、環式、枝分れ、不飽和、芳香族、含フッ素、含酸素アルカン若しくはその他の含カルコゲン基であればよく、Ｊは当該分子の界面活性剤としての機能に過度に干渉することのない酸化状態又は原子価ｐを有する適当な陰イオンである。好ましい実施形態では、Ｒ31及びＲ32は炭素数１〜４の炭化水素基、さらに好ましくはメチルであり、Ｒ33及びＲ34は炭素数６〜３０、さらに好ましくは炭素数８〜２４の炭化水素基である。
【００４４】
本発明の両性界面活性剤として使用するのに適した化合物は、酸性親水基と塩基性親水基を共に有するものである。両性界面活性剤は陰イオン性界面活性剤及び陽イオン性界面活性剤と相溶性である。両性界面活性剤は当技術分野で広く知られており、例えば、アルキルベタイン及びアミドプロピルベタインのようなベタイン誘導体、ブロックコポリマー、イミダゾリン類並びにレシチン類がある。
【００４５】
好ましい実施形態では、本発明の一成分は次の構造式XVの１種類以上の両性界面活性剤を含む。
【００４６】
【化５】
2004525997.tif 000006
【００４７】
式中、Ｒ35、Ｒ36及びＲ37は各々独立にＨ又は炭素数１〜３０の一価炭化水素基であり、該一価炭化水素基は線状、環式、枝分れ、不飽和、芳香族、含フッ素、含酸素アルカン若しくはその他の含カルコゲン基であればよく、Ｇは二価スペーサー基であり、Ｙはカルボキシレート、スルホネート、サルフェート、ホスホネートその他同様の基である。好ましい実施形態では、Ｒ35は炭素数１〜４の炭化水素であり、Ｒ36及びＲ37は炭素数６〜２４の炭化水素である。
【００４８】
界面活性剤は当技術分野で公知であり、例えばＡｋｚｏ  Ｃｈｅｍｉｃａｌ社、Ｃａｌｇｅｎｅ  Ｃｈｅｍｉｃａｌ社、Ｅｍｋａｙ  Ｃｈｅｍｉｃａｌ社、Ｈｅｒｃｕｌｅｓ社、ＩＣＩ  Ａｍｅｒｉｃａｓ社、Ｌｏｎｚａ社、Ｒｈｏｎｅ  Ｐｏｕｌｅｎｃ社、Ｕｎｉｏｎ  Ｃａｒｂｉｄｅ社及びＷｉｔｃｏ社のように多数の供給元から数多くの商品名で市販されている。
【００４９】
好ましい実施形態では、本発明のドライクリーニング組成物は、少量、好ましくは組成物１００ｐｂｗ当たり５０ｐｂｗ未満、さらに好ましくは組成物１００ｐｂｗ当たり１０ｐｂｗ未満の１種類以上の非シロキサン流体をさらに含む。適当な非シロキサン流体には、例えば水のような水性流体、並びに有機流体、例えば炭化水素流体及びハロゲン化炭化水素流体がある。
【００５０】
例えば繊維製品又は皮革品のような物品、典型的には衣料品を本発明の組成物と接触させることによって該物品をドライクリーニングする。好ましい実施形態では、クリーニングする物品には、例えば綿、羊毛、亜麻及び麻のような天然繊維、例えばポリエステル繊維、ポリアミド繊維、ポリプロピレン繊維及びエラストマー繊維のような合成繊維、天然繊維と合成繊維のブレンド、天然若しくは合成皮革又は天然若しくは合成毛皮から作られた繊維製品がある。
【００５１】
物品とドライクリーニング組成物を、次に、例えば１回以上の排液及び遠心によって分離する。好ましい実施形態では、物品とドライクリーニング組成物の分離に続いて、物品の加熱、好ましくは温度１５〜１２０℃、さらに好ましくは２０℃〜１００℃での加熱、減圧、好ましくは圧力１〜７５０ｍｍＨｇの減圧、又は加熱と減圧を行う。
【００５２】
水溶性汚れの除去試験は、Ｉｎｔｅｒｎａｔｉｏｎａｌ  Ｆａｂｒｉｃａｒｅ  Ｉｎｓｔｉｔｕｔｅ（「ＩＦＩ」）（米国メリーランド州シルバー・スプリング）から供給された水溶性染料を含有する布地見本を用いて実施した。この材料の見本の色の変化は、ハンター色数の差分計算を用いてミノルタＣＲ−３００（登録商標）色差計で測定した。ハンター色数の変化（ΔＥ）が大きいほど染料の除去は多く、クリーニング効率が高い。
【実施例】
【００５３】
以下の実施例は本発明を例示するためのもので、特許請求の範囲を限定するものではない。
【００５４】
実施例
試験手順：水溶性染料を含有する円形見本（ＩＦＩ製）を色差計で測定し、（ハンター色数で定義される）初期色値Ｌ、ａ及びｂを記録した。次に、本発明のクリーニング組成物を入れたバイアルに布地見本を入れ、バイアルを周囲温度で１０分間振盪した。布地見本を取り出し、２〜５秒間滴を垂らして乾燥させた後、吸着タオルの上に載せ、１６〜２４時間自然乾燥した。各布地見本の二度目の値を読み取り、次式を用いて色差（ΔＥ）を求めた。
【００５５】
ΔＥ＝［（Ｌ1−Ｌ2）2＋（ａ1−ａ2）2＝（ｂ1−ｂ2）2］1/2
この色差はクリーニングの相対量を表しており、ΔＥが高いほどクリーニング性能に優れることを示す。
【００５６】
実施例１−非イオン性界面活性剤［エトキシル化アルコール］
環式シロキサン（Ｄ5）と１種類以上の非イオン性界面活性剤を含有する本発明のクリーニング組成物を製造した。前記手順を用いて布地見本を洗濯し、色差を測定してクリーニング組成物の有効性を求めた。界面活性剤を含まない環式シロキサン（Ｄ5）の溶液を対照として用いた。
【００５７】
この実施例で使用した非イオン性界面活性剤は前記式IIIで表されるものであり、式中のＲ9及びｎは表１に記載した通りであり、Ｒ10はＨである。
【００５８】
【表１】
2004525997.tif 000007
【００５９】
表１は、非イオン性界面活性剤がベースの環式シロキサン（Ｄ5）溶剤の洗浄力及び染料除去力を高めることを示している。
【００６０】
実施例２−陰イオン性界面活性剤
環式シロキサン（Ｄ5）及び１種類以上の陰イオン性界面活性剤を含有する本発明のクリーニング組成物を製造した。前記手順を用いて布地見本を洗濯し、色差を測定してクリーニング組成物の有効性を求めた。界面活性剤を含まない環式シロキサン（Ｄ5）の溶液を対照として用いた。
【００６１】
【表２】
2004525997.tif 000008
【００６２】
表２は、陰イオン性スルホスクシネート界面活性剤がベースの環式シロキサン（Ｄ5）溶剤の水溶性染料除去力を高めることを示している（界面活性剤ＴＲは２０％エタノール／１０％水中の溶液であり、ＧＰＧは８％エタノール／２２％水中の溶液である）。
【００６３】
実施例３−陽イオン性及び陰イオン性界面活性剤
環式シロキサン（Ｄ5）及び１種類以上の陰イオン性及び陽イオン性界面活性剤を含有する本発明のクリーニング組成物を製造した。前記手順を用いて布地見本を洗濯し、色差を測定してクリーニング組成物の有効性を求めた。界面活性剤を含まない環式シロキサン（Ｄ5）の溶液を対照として用いた。
【００６４】
【表３】
2004525997.tif 000009
【００６５】
表３は、イオン性界面活性剤がベースの環式シロキサン（Ｄ5）溶剤の水溶性染料除去力を高めることを示している（Ｒ2Ｍｅ2Ｎ+Ｃｌ-は水中で溶液となった）。
【００６６】
実施例４−水を含む非イオン性界面活性剤
環式シロキサン（Ｄ5）、水及び非イオン性界面活性剤を含有する本発明のクリーニング組成物を製造した。前記手順を用いて布地見本を洗濯し、色差を測定してクリーニング組成物の有効性を求めた。界面活性剤を含まない環式シロキサン（Ｄ5）の溶液を対照として用いた。この実施例で用いた非イオン性界面活性剤は前記式IIIで表されるものであり、Ｒ9及びｎは表４に示す通りであり、Ｒ10はＨである。
【００６７】
【表４】
2004525997.tif 000010
【００６８】
【表５】
2004525997.tif 000011
【００６９】
表４及び４Ａは、非イオン性界面活性剤が水の存在下でベースの環式シロキサン（Ｄ5）溶剤の洗浄力及び染料除去力を高めることを示している。
【００７０】
実施例５−イオン性界面活性剤
環式シロキサン（Ｄ5）、水及び非イオン性界面活性剤を含有する本発明のクリーニング組成物を製造した。前記手順を用いて布地見本を洗濯し、色差を測定してクリーニング組成物の有効性を求めた。界面活性剤を含まない環式シロキサン（Ｄ5）と水の溶液を対照として用いた。
【００７１】
【表６】
2004525997.tif 000012
【００７２】
表５は、水の存在下でイオン性界面活性剤がベースの環式シロキサン（Ｄ5）溶剤の水溶性染料除去力を高めることを示している。
【００７３】
【表７】
2004525997.tif 000013
【００７４】
【表８】
2004525997.tif 000014
【００７５】
表７は、これらの界面活性剤についてＲ及びｘを変化させて検討した結果を示している。この種の材料の混合物も実験１３〜１６及び２９〜３４にみられる通り試験した。これらの界面活性剤でＤ5に溶解するものは試験した範囲でなく、幾つかが若干濁っただけであった。表１にみられる通り、Ｒ＝Ｃ12-15でｘ＝３〜９の繰返し単位を有する界面活性剤が最良の洗浄力を示した。
【００７６】
【表９】
2004525997.tif 000015
【００７７】
１とＤ5と水の類似組成物同士を試験すると、ここでもＲ＝Ｃ12-15、ｘ＝３〜９の繰返し単位で最良の洗浄力が見られた（表２）。
【００７８】
【表１０】
2004525997.tif 000016
【００７９】
エトキシル化フェノール２についても検討した（表３）。最も有効な混合物はＥＯ鎖が長く、水分量の少ないものであった。
【００８０】
【化６】
2004525997.tif 000017
【００８１】
【表１１】
2004525997.tif 000018
【００８２】
表４にみられるように、シリコーン溶剤の洗浄能力を高める添加剤としてのグリコールエーテル及びジオールについても検討した。
【００８３】
【表１２】
2004525997.tif 000019
【００８４】
これらのエーテルの実施例では、少量の水を添加したときに最適性能が認められた。１，２−ジオールは５％レベルで染料の除去に有効であったが、水が存在すると１％でかなりの洗浄力が認められた。
【００８５】
表５は、糖系界面活性剤及びアルカノールアミドを水系汚れ除去剤として用いた結果を示す。
【００８６】
【化７】
2004525997.tif 000020
【００８７】
【表１３】
2004525997.tif 000021
【００８８】
ソルビタンオレエート（Ｓｐａｎ  ８０）はクリーニング添加剤としてあまり有効ではなかったが、六員グルコシド（Ｇｌｕｃｏｐａｎ）は水を添加すると４％のレベルで良好な洗浄力を示した。２種類のアルカノールアミドはこれらの試験ではクリーニング界面活性剤としての性能に劣っていた。
【００８９】
陽イオン性界面活性剤
試験した陽イオン性界面活性剤はすべて以下の式６のタイプの第四アンモニウム塩であった。表から分かるように、これらの第四塩はいずれの場合も１％レベルで有効であった。水の添加は時として有利であった。
【００９０】
【化８】
2004525997.tif 000022
【００９１】
【表１４】
2004525997.tif 000023
【００９２】
両性界面活性剤
試験した両性界面活性剤は下記の表７に示す部類のベタインであった。これらは第四級化グリシン誘導体である。これらの界面活性剤はすべて水溶液として供給され、高レベルでほどほどの性能を示したが、それよりも低い１％の添加量でさらに良好であった。
【００９３】
【化９】
2004525997.tif 000024
【００９４】
【表１５】
2004525997.tif 000025
【００９５】
陰イオン性界面活性剤
多種多様な有機陰イオン性界面活性剤がスルホスクシネート、スルホネート、ホスホネートなどの形態で入手可能である。試験したのは表８に示すスルホスクシネートである。最良の結果は高レベルの水を添加したときに認められた。Ａｅｒｏｓｏｌ  ＯＴの有益な特徴の一つは、それが５重量％以上までＤ5に可溶であることである。
【００９６】
【化１０】
2004525997.tif 000026
【００９７】
【表１６】
2004525997.tif 000027
【００９８】
表９に示す通り何種類かの含リン界面活性剤を試験した。これらのエトキシル化ホスホネートは適度な洗浄挙動を示したが、レシチン系界面活性剤では水溶性染料が見本から除去されなかった。
【００９９】
【表１７】
2004525997.tif 000028
【０１００】
シリコーン溶剤用の界面活性剤としてのアルキル及びアリールスルホネートについても検討した。表１０は、水を添加した場合と添加しなかった場合のかかる物質の結果を示す。
【０１０１】
【表１８】
2004525997.tif 000029
【０１０２】
表１１に示す通り、含フッ素界面活性剤についても検討した。試験した種類のうち、フッ素化第四塩とフルオロアルキルアルコキシドが最良の性能を示した。
【０１０３】
【表１９】
2004525997.tif 000030
【０１０４】
本発明は、界面活性剤及び任意成分としての水の添加によって、汚れの除去、特に水溶性汚れを除去するためのドライクリーニング剤として改善された性能を呈する。
【国際公開パンフレット】
2004525997.tif 000040
2004525997.tif 000041
2004525997.tif 000042
2004525997.tif 000043
2004525997.tif 000044
2004525997.tif 000045
2004525997.tif 000046
2004525997.tif 000047
2004525997.tif 000048
2004525997.tif 000049
2004525997.tif 000050
2004525997.tif 000051
2004525997.tif 000052
2004525997.tif 000053
2004525997.tif 000054
2004525997.tif 000055
2004525997.tif 000056
2004525997.tif 000057
2004525997.tif 000058
2004525997.tif 000059
2004525997.tif 000060
2004525997.tif 000061
2004525997.tif 000062
2004525997.tif 000063
2004525997.tif 000064
2004525997.tif 000065
2004525997.tif 000066
2004525997.tif 000067
2004525997.tif 000068
2004525997.tif 000069
2004525997.tif 000070
2004525997.tif 000071
2004525997.tif 000072
2004525997.tif 000073
2004525997.tif 000074
2004525997.tif 000075
2004525997.tif 000076
2004525997.tif 000077
2004525997.tif 000078
2004525997.tif 000079
2004525997.tif 000080
2004525997.tif 000081
2004525997.tif 000082
【国際調査報告】
2004525997.tif 000083
2004525997.tif 000084
2004525997.tif 000085
2004525997.tif 000086